(57)【要約】【課題】周辺環境の明暗に影響されず、また飛翔昆虫が誘引され、あるいは行動が抑制される放射波長域は飛翔昆虫の種類によって異なるという知見に基づき、選択的かつ効率よく飛翔昆虫を捕獲できる飛翔昆虫誘引捕獲器を提供することである。【解決手段】容器の側面に取り付け部を有し、上部が開口された容器からなる飛翔昆虫誘引捕獲器であって、当該容器の内面の一部ないし底部に粘着部取付部が設けられ、該粘着部取付部に粘着部が設けられ、当該容器の内面に、ＬＥＤおよび／または紫外線蛍光ランプ支持部が設けられ、該ＬＥＤおよび／または紫外線蛍光ランプ支持部にＬＥＤおよび／または紫外線蛍光ランプが設けられ、該ＬＥＤおよび／または紫外線蛍光ランプに給電する配線が配設されてなることを特徴とする。【選択図】図２
0003130829.tif 000002
【実用新案登録請求の範囲】
【請求項１】
容器の側面に取り付け部を有し、上部が開口された容器からなる飛翔昆虫誘引捕獲器であって、
当該容器の内面の一部ないし底部に粘着部取付部が設けられ、該粘着部取付部に粘着部が設けられ、
当該容器の内面に、ＬＥＤおよび／または紫外線蛍光ランプ支持部が設けられ、該ＬＥＤおよび／または紫外線蛍光ランプ支持部にＬＥＤおよび／または紫外線蛍光ランプが設けられ、該ＬＥＤおよび／または紫外線蛍光ランプに給電する配線が配設されてなる
ことを特徴とする飛翔昆虫誘引捕獲器。
【請求項２】
前記ＬＥＤに波長切替スイッチが設けられてなる請求項１記載の飛翔昆虫誘引捕獲器。
【請求項３】
前記容器を構成する側面のうち、前記取付部が設けられた側面と対向する対向側面の内面に連結腕が設けられ、該連結腕が該対向側面と隣接する側面に差し込まれてなる請求項１または２記載の飛翔昆虫誘引捕獲器。
【請求項４】
前記粘着部が、前記対向側面の内面に設けられた複数のピンと、当該ピンを嵌入する孔が設けられた反射板とからなり、該反射板に虫を捕獲するための粘着材が塗布されてなる請求項１または２記載の飛翔昆虫誘引捕獲器。
【考案の詳細な説明】
【技術分野】
【０００１】
本考案は、ＬＥＤおよび／または紫外線蛍光ランプと粘着部とを備えた飛翔昆虫誘引捕獲器に関する。さらに詳しくは、昆虫の特定の波長に対する走行性を利用して、ＬＥＤおよび／または紫外線蛍光ランプによって発光される特定の光の波長によって昆虫を誘引し、誘引した昆虫を粘着部によって捕獲する飛翔昆虫誘引捕獲器に関する。
【背景技術】
【０００２】
近年、飲食店、食品工場、医薬品工場において、施設内における衛生管理が重要視されている。特に、食品、製品への異物混入に対しては、さまざまな防止策が講じられている。その異物混入問題の中でも店内および工場内に侵入した飛翔昆虫が原因となるものが多くなっており、衛生管理上、施設内における飛翔昆虫対策が重要な課題となっている。
【０００３】
叙上の課題を解決する手段として、虫が光に向かって進む走光性という性質を利用した、ＬＥＤを誘引光源とし、捕虫紙により害虫を捕獲する捕虫器（特許文献１参照）や、紫外線蛍光ランプを誘引光源とし、粘着シートにより飛翔性害虫を捕獲する捕獲器（特許文献２参照）が知られている。このような誘引光源を用いた捕虫装置は、他の種類の捕虫装置、例えば高電圧格子を用いて飛翔害虫を感電死させる電撃式の捕虫装置等と比べ、死骸が飛散しないといった点で清潔性に優れ、利便性にも優れているため、衛生管理を重視する各種施設で広く採用されている。
【０００４】
【特許文献１】特開２００３−７０４０２号公報
【特許文献２】特開平８−３３４４４号公報
【考案の開示】
【考案が解決しようとする課題】
【０００５】
衛生管理が必要とされる食品工場や医薬品工場などの施設内には多種多様な飛翔昆虫が侵入し、さらに同類の昆虫でも照射光の波長に対する感応の個体差が観察される。このように一光源のみで多様な行動形態を持つ飛翔昆虫を抑制することは不可能である。
【０００６】
そして、特許文献１に開示されたＬＥＤを誘引光源とする捕虫器は、周辺環境が明るい昼間は、さほど効果を発揮しないという欠点がある。これに対し、特許文献２に開示された紫外線蛍光ランプを誘引光源とする捕虫器は、周辺環境が暗い夜間は、誘引光源としてＬＥＤを使用するものに比べ効果が低下するという欠点がある。また、従来の捕虫器の光源は一種類の波長域のものであり、選択的かつ効率よく飛翔昆虫を捕獲できるものではない。
【０００７】
本考案は、周辺環境の明暗に影響されず、また飛翔昆虫が誘引され、あるいは行動が抑制される放射波長域は飛翔昆虫の種類によって異なるという知見に基づき、選択的かつ効率よく飛翔昆虫を捕獲できる飛翔昆虫誘引捕獲器を提供することを目的とする。
【課題を解決するための手段】
【０００８】
本考案は、容器の側面に取り付け部を有し、上部が開口された容器からなる飛翔昆虫誘引捕獲器であって、
当該容器の内面の一部ないし底部に粘着部取付部が設けられ、該粘着部取付部に粘着部が設けられ、
当該容器の内面に、ＬＥＤおよび／または紫外線蛍光ランプ支持部が設けられ、該ＬＥＤおよび／または紫外線蛍光ランプ支持部にＬＥＤおよび／または紫外線蛍光ランプが設けられ、該ＬＥＤおよび／または紫外線蛍光ランプに給電する配線が配設されてなる
ことを特徴としている。
【０００９】
また、前記ＬＥＤの波長切替スイッチが設けられると、誘引光源の波長を少なくとも７段階に設定できるようにすることができる。
【００１０】
また、前記容器を構成する側面のうち、前記取付部が設けられた側面と対向する対向側面の内面に連結腕が設けられ、該連結腕が該対向側面と隣接する側面に差し込まれてなる構成を有することができる。
【００１１】
また、前記粘着部が、前記対向側面の内面に設けられた複数のピンと、当該ピンを嵌入する孔が設けられた反射板とからなり、該反射板の上面に虫を捕獲するための粘着材が塗布されてなることが好ましい。
【考案の効果】
【００１２】
本考案は、飛翔昆虫が誘引され、あるいは行動が抑制される放射波長域は飛翔昆虫の種類によって異なるという発見に基づき、誘引光源の波長を少なくとも７段階に設定可能にすることで、選択的かつ効率よく飛翔昆虫を捕獲可能とし、さらに紫外線蛍光ランプを併用することで、周辺環境が明るい昼間でも誘引効果が低下しないという利点がある。また、捕獲手段を粘着シートとすることで飛来昆虫の死骸が飛散しないとか不快な音や臭いがしないといった点で清潔性に勝るとともに、利便性に優れるものである。
【００１３】
すなわち、本考案の飛翔昆虫誘引捕獲器は、紫外線蛍光ランプとＬＥＤの二種類の光源を併用することで、周辺環境の明暗に影響されず、飛翔昆虫を効果的に誘引させることができ、しかも、飛翔昆虫の種類に応じ、その飛翔昆虫の好む波長光に光源を設定できることで、さらに効率よく誘引・捕獲することができる。また、飛翔昆虫の種類に応じた捕獲が可能になることで、生息する飛翔昆虫の種類や発生個体数等を定期的に調査し、飛翔昆虫の種類に応じた衛生管理対策を施すことが可能になる。
【００１４】
要するに、本考案によれば、周辺環境の明暗に影響されず、また飛翔昆虫が誘引され、あるいは行動が抑制される放射波長域は飛翔昆虫の種類によって異なるという知見に基づき、選択的かつ効率よく飛翔昆虫を捕獲できる飛翔昆虫誘引捕獲器を提供することができる。
【考案を実施するための最良の形態】
【００１５】
添付図面を参照しながら本考案の飛翔昆虫誘引捕獲器（以下、単に「捕獲器」という）を以下に詳細に説明する。
【００１６】
図１の（ａ）は本考案にかかわる捕獲器の概念を示す斜視図、図１の（ｂ）は図１の（ａ）の捕獲器の断面説明図、図２は本考案の一実施の形態にかかわる捕獲器の説明図、図３は図２の捕獲器の構成要素である容器の対向側面を開放した状態を示す説明図、図４の（ａ）は図３の対向側面を示す説明図であり、図４の（ｂ）は図４の（ａ）の粘着部取付部の構造を示す説明図、図５は実施例にかかわる捕獲器の設置状態を示す説明図である。
【００１７】
図１の（ａ）および（ｂ）を参照すると、本考案の捕獲器１は、上部が開口した容器１０を備えており、当該容器１０の側面１０ａには、壁面２０への取付孔（取り付け部）１１が設けられている。そして、容器１０は取付孔１１を通して、たとえばネジ２１を壁２０に羅着することによって固定される。しかし、容器１０の壁２０への取り付けは、ネジ２１や釘に限定されない。たとえば壁２０に設けられたピンやフックに容器１０の取付孔１１を引っ掛けることによって容器１０を壁２０に固定することも可能である。このほか、接着剤による固着を含め、当業者に自明な固着手段によって、容器１０を壁２０に固着することが可能である。
【００１８】
そして、図１の（ｂ）に示されるように、容器１０の内側面ないし底面に粘着剤１３が設けられている。ここで、図４（ｂ）を参照すると、本考案の一実施の形態において、粘着部取付部は、対向側面１０ｂの内面１０ｂ１に設けられた固定腕Ｐ１と、固定腕Ｐ１にたいして軸ＡＸの回りに旋回する可動腕Ｐ２からなる複数のピンＰと、当該ピンＰを嵌入する孔Ｈが設けられた反射板１２とから構成され、当該反射板１２に虫を捕獲するための粘着剤１３が塗布されているものが示されているが、かかる構成に限定されない。図１の（ｂ）に示されるように、粘着部取付部自体が粘着剤１３であるもの（すなわち、粘着剤１３を容器１０の内側面に直接塗付したもの）も本考案に含まれる。
【００１９】
粘着部取付部（反射板）１２の素材としては、例えば、アルミニウム、銅、銀、金、ニッケル、真鍮、クロム等の金属またはそれらの合金、あるいはこれらの金属、合金をボール紙、厚紙等の紙、樹脂シート、金属板、ガラス等に被覆したものが採用される。
【００２０】
粘着剤１３としては、例えばゴム系、アクリル系、シリコーン系粘着剤が採用される。
【００２１】
また、粘着剤１３に、誘引物質を混入することができる。誘引物質としては、例えば、酪酸、乳酸および昆虫のフェロモン様物質を採用することができる。
【００２２】
また、容器１０の内側面には、一実施の形態にＬＥＤランプ１４と紫外線蛍光ランプ１５が設けられている。ここで、図２〜４を参照すると、一実施の形態において、容器１０の内面に、ＬＥＤ支持部１４ａを介して８個のＬＥＤランプ１４が設けられ、かつ紫外線蛍光ランプ支持部として機能するソケット１５ａに紫外線蛍光ランプ１５が設けられている。図２〜３の実施の形態には、ＬＥＤランプ１４が８個設けられている。
【００２３】
また、容器１０内には紫外線蛍光ランプ１５に給電する配線Ｗが配設されている。なお、ＬＥＤランプに給電する配線は１４ａ内に配設されている。
【００２４】
前記ＬＥＤランプ１４としては、市場で入手できるＬＥＤ（例えば、日亜化学製のＮＳＳＭ００９）を採用することができる。
【００２５】
また、前記ＬＥＤの波長切替スイッチが設けられると、誘引光源の波長を少なくとも７段階、すなわち３４５〜３８５ｎｍ、３５０〜３９０ｎｍ、４１０〜５２０ｎｍ、４５０〜６００ｎｍ、５５０〜６２０ｎｍ、５７５〜６４０ｎｍ、５９０〜６９０ｎｍに設定できるようにすることができる。
【００２６】
また、本実施の形態においては、容器１０を構成する側面のうち、前記取り付け部１１が設けられた側面１０ａと対向する対向側面１０ｂの内面１０ｂ１に連結腕Ａが設けられており、該連結腕Ａが該対向側面１０ｂと隣接する側面に差し込まれている。
【００２７】
本実施の形態において、対向側面１０ｂは波状に湾曲させることにより、ホテルの客室や、ロビー、会議室や、喫茶室などに設置したときに、装飾的な効果を得るようにすることもできる。さらに、対向側面１０ｂの正面部はホテルの客室や、ロビー、会議室や、喫茶室などの壁の模様に合わせた模様が描かれた台紙を取り付けることも可能である。しかし、かかる構成に限定されることはない。
【００２８】
叙上のように構成される本考案の捕獲器の動作について説明する。
【００２９】
容器１０内のＬＥＤ１４ランプと紫外線蛍光ランプ１５によって発光され、容器１０の開口Ｏから漏れた光に、飛翔昆虫が誘引されて、容器１０の開口Ｏから容器１０内に誘い込まれる。容器１０内に誘い込まれた昆虫は容器１０内のＬＥＤ１４ランプと紫外線蛍光ランプ１５の周りを飛翔している間に粘着剤１３に翅や胴体の一部が付着することによって捕獲されるのである。
【００３０】
以下に本考案を実施例に基づいてさらに詳細に説明するが、本考案は実施例に限られることはない。
【実施例】
【００３１】
ＲＧＢカラーＬＥＤ（日亜化学製のＮＳＳＭ００９）８個（光出力０．２Ｗ）と１３Ｗ紫外線蛍光ランプ（紫外線出力０．９Ｗ）とを光源として備え、かつ捕虫用粘着部を備えた捕虫器をサンプルとして作製し、単位時間あたりの捕獲数と捕虫率を求めた（結果を表１、２に示す）。
【００３２】
【表１】
0003130829.tif 000003
【００３３】
【表２】
0003130829.tif 000004
【００３４】
試験室内（約４０立方メートル）の壁に、サンプルを設置し（図５参照）、一定数の供試昆虫を当該試験室内に放した。約１２時間経過後に捕虫用粘着部を回収し、供試昆虫別に捕獲数を数え効果を判定した。なお、図５において、参照符号Ｌは試験室、Ｄはドアー、Ｓはサンプルを示す。また、試験室内の温度は２５℃、湿度は６０％であり、消灯下で行った。
【図面の簡単な説明】
【００３５】
【図１（ａ）】本考案にかかわる捕獲器の概念を示す斜視図である。
【図１（ｂ）】図１（ａ）の捕獲器の断面説明図である。
【図２】本考案の一実施の形態にかかわる捕獲器を示す説明図である。
【図３】図２の捕獲器を構成要素である容器の対向側面を開放した状態を示す説明図である。
【図４（ａ）】図３の対向側面を示す説明図である。
【図４（ｂ）】図４（ａ）の粘着部取付部の構造を示す説明図である。
【図５】実施例にかかわる捕獲器の設置状態を示す説明図である。
【符号の説明】
【００３６】
１    捕獲器
１０    容器
１０ａ  側面
１０ｂ  対向側面
１１    取付部（取付孔）
１２    粘着部取付部（反射板）
１３    粘着剤
１４    ＬＥＤランプ
１４ａ  ＬＥＤ取付部
１５    紫外線蛍光ランプ
１５ａ  紫外線蛍光ランプ取付部
２０    壁
２１    ネジ
Ａ      連結腕
Ｗ      配線
Ｏ      容器の開口
【図１（ａ）】
0003130829.tif 000005
【図１（ｂ）】
0003130829.tif 000006
【図２】
0003130829.tif 000007
【図３】
0003130829.tif 000008
【図４（ａ）】
0003130829.tif 000009
【図４（ｂ）】
0003130829.tif 000010
【図５】
0003130829.tif 000011